(57)【要約】【課題】有効開口幅を広げることができ、しかも間仕切り等の外観品質を良好に維持することができ、更にユニバーサルデザイン性能を高めることができる引戸を得る。【解決手段】引戸本体１２の戸先側端面１２Ａには、帯板状に形成された支持部２６及び開閉操作時に把持するグリップ部２８から成る引出１４が取り付けられている。さらに支持部２６は、戸先側端面１２Ａに固定されると共に板厚方向に延出された固定部２６Ａと、この固定部２６Ａから戸袋２０側へ斜めに屈曲されて延出されたグリップ支持部２６とから成る。従って、有効開口幅を最大限に確保することができると共に間仕切り等の外観を損ねることもない。さらに、高齢者や身体に不自由がある人等、すべての人に平等・公平に安全で操作性が良い。【選択図】図３
2008180018.tif 000002
【特許請求の範囲】
【請求項１】
開閉可能な引戸本体と、
この引戸本体の戸先側端面に略面一に取り付けられると共に引戸本体の戸先側端部から離間する方向へ張出された支持部と、この支持部に支持されると共に引戸本体の開閉操作時に把持されるグリップ部と、を含んで構成された引出と、
を有することを特徴とする引戸。
【請求項２】
前記支持部は、平板状に形成されかつ引戸本体の戸先側端面に略面一に当接された状態で固定される固定部と、この固定部から延出されて前記グリップ部を支持するグリップ支持部と、を含んで構成されている、
ことを特徴とする請求項１記載の引戸。
【請求項３】
前記固定部の平面視での幅は、引戸本体の板厚及び間仕切りの板厚を足した長さ以上に設定されている、
ことを特徴とする請求項２記載の引戸。
【請求項４】
前記グリップ支持部は、前記固定部の先端部から戸先側と反対側へ延出されている、
ことを特徴とする請求項２又は請求項３記載の引戸。
【請求項５】
前記引戸本体の戸先側端面には、弾性材料によって構成されると共に引戸開閉方向に所定の厚さを有する長尺状の小口材が取り付けられている、
ことを特徴とする請求項１乃至請求項４のいずれか一項に記載の引戸。
【請求項６】
前記引戸本体の開閉方向の幅は、当該引戸本体によって開閉される開口を形成する開口枠の内周横幅よりも狭く設定されている、
ことを特徴とする請求項５記載の引戸。
【発明の詳細な説明】
【技術分野】
【０００１】
本発明は、建具として用いられる引戸に関する。
【背景技術】
【０００２】
下記特許文献１には、間仕切り壁の開口部を、大きく張出した引手が取り付けられた引戸で開閉する場合において、開口幅が減少することを解消する技術が開示されている。簡単に説明すると、この先行技術では、引戸にコの字状の大型の引手が取り付けられており、開放時にこの引手が間仕切り壁の開口端と干渉することから、間仕切り壁の開口端側に引戸の幅よりも大きい幅の切欠を設けると共にこの切欠をカバーで覆い、コロと索条で引戸の開放動作に連動させてカバーを下げることにより、引手を切欠内へ入り込ませる構成になっている。
【特許文献１】実開平６−２８１７４号公報
【特許文献２】特開２００３−２３２１６４号公報
【発明の開示】
【発明が解決しようとする課題】
【０００３】
しかしながら、上記特許文献１に開示された先行技術による場合、間仕切り壁の開口端側に大きな切欠を形成する必要があるため、カバーで覆ったとしても、美観を損ねる。
【０００４】
一方、近年の傾向としてバリアフリーに代表されるように高齢者や体が不自由な人にも安全で利用し易い居住空間を提供することが重要視されているが、最近では更にこの考え方を拡大してすべての人にとって平等・公平に利用し易いデザインを提供するユニバーサルデザインといった考え方が普及し始めている。従って、引戸もユニバーサルデザインの観点から改良されることが望ましい。
【０００５】
本発明は上記事実を考慮し、有効開口幅を広げることができ、しかも間仕切り等の外観品質を良好に維持することができ、更にユニバーサルデザイン性能を高めることができる引戸を得ることが目的である。
【課題を解決するための手段】
【０００６】
請求項１の発明に係る引戸は、開閉可能な引戸本体と、この引戸本体の戸先側端面に略面一に取り付けられると共に引戸本体の戸先側端部から離間する方向へ張出された支持部と、この支持部に支持されると共に引戸本体の開閉操作時に把持されるグリップ部と、を含んで構成された引出と、を有することを特徴とする。
【０００７】
請求項２の発明は、請求項１記載の引戸において、前記支持部は、平板状に形成されかつ引戸本体の戸先側端面に略面一に当接された状態で固定される固定部と、この固定部から延出されて前記グリップ部を支持するグリップ支持部と、を含んで構成されている、ことを特徴とする。
【０００８】
請求項３の発明は、請求項２記載の引戸において、前記固定部の平面視での幅は、引戸本体の板厚及び間仕切りの板厚を足した長さ以上に設定されている、ことを特徴とする。
【０００９】
請求項４の発明は、請求項２又は請求項３記載の引戸において、前記グリップ支持部は、前記固定部の先端部から戸先側と反対側へ延出されている、ことを特徴とする。
【００１０】
請求項５の発明は、請求項１乃至請求項４のいずれか一項に記載の引戸において、前記引戸本体の戸先側端面には、弾性材料によって構成されると共に引戸開閉方向に所定の厚さを有する長尺状の小口材が取り付けられている、ことを特徴とする。
【００１１】
請求項６の発明は、請求項５記載の引戸において、前記引戸本体の開閉方向の幅は、当該引戸本体によって開閉される開口を形成する開口枠の内周横幅よりも狭く設定されている、ことを特徴とする。
【００１２】
請求項１記載の本発明によれば、引出の支持部が引戸本体の戸先側端面に略面一に取り付けられており、かつグリップ部を支持する支持部が引戸本体の戸先側端部から離間する方向へ張出されているため、引戸開放時に支持部の取付位置（引戸本体の戸先側端面）まで引戸を開放させることができる。従って、引戸の有効開口幅を拡大することができる。
【００１３】
また、従来のように引戸本体の戸先側端部近傍を両面から掘り込んで指掛かりを設ける場合には、引戸開閉時に指掛かりに指を掛けて引戸を引くため、指先に力を入れることが困難な人には操作し難いものであったが、本発明によれば、支持部が戸先側端部から離間する方向へ張出されており、かかる支持部に支持されたグリップ部を把持して開け閉めすることができるので、指先に力を入れ難い人でも引戸を容易に開閉操作することができる。
【００１４】
さらに、従来では引込み戸の場合に引戸を開放させた際に指掛かりに掛けた指を戸袋との隙間に挟む可能性があったが、本発明によれば、引戸本体の戸先側端部から張出された支持部に支持されたグリップ部を把持して引戸を開放させるため、引込み戸に適用された場合にも引戸開放時に指を挟む可能性は全くない。
【００１５】
これらの意味において、本発明の引戸は、子供や高齢者、体が不自由な人も含めてすべての人にとって平等・公平に安全で操作性の良い引戸といえる。
【００１６】
さらに、先行技術との関係で説明すると、先行技術の場合には有効開口幅を拡大するために間仕切りに切欠を設ける必要があったが、本発明によれば、間仕切り側に特別な細工をする必要はない。
【００１７】
請求項２記載の本発明によれば、支持部が固定部とグリップ支持部とを含んで構成されているため、固定部及びグリップ支持部の長さや延出方向等を調整することにより、グリップ部の位置を容易に最適化することができる。
【００１８】
請求項３記載の本発明によれば、固定部の平面視での幅が、引戸本体の板厚及び間仕切りの板厚を足した長さ以上に設定されているので、引戸を開放させた際に、引出が間仕切りの端部と実質的に干渉しない。
【００１９】
請求項４記載の本発明によれば、グリップ支持部が固定部の先端部から戸先側と反対側へ延出されているので、引戸全開時にグリップ部が開口と重なる位置にない。従って、使用者が開口を通る際に、グリップ部が体に当たることがない。
【００２０】
請求項５記載の本発明によれば、引戸本体に長尺状の小口材が取り付けられており、この小口材は弾性材料によって構成されていると共に引戸開閉方向に所定の厚さを有するので、引戸全閉時に仮に引戸本体の戸先側で指を挟んだとしても、小口材が指の形状に沿って弾性変形する。従って、指に与える荷重が下がる。
【００２１】
請求項６記載の本発明によれば、引戸本体の開閉方向の幅は、当該引戸本体によって開閉される開口を形成する開口枠の内周横幅よりも狭く設定されているので、従来より施工作業が容易になる。すなわち、従来は開口枠を外して引戸本体を開閉軌道上に取り込んでから再び開口枠を取り付けるという施工手順によっていたが、本発明によれば、小口材に厚みがあるので、小口材を取り付ける前の素のままの状態の引戸本体を開口枠内の開閉軌道上に納め、その後に引出及び小口材を取り付けるといった施工手順が可能になる。従って、従来より施工作業が容易になる。
【発明の効果】
【００２２】
以上説明したように、請求項１記載の本発明に係る引戸は、有効開口幅を広げることができ、しかも間仕切り等の外観品質を良好に維持することができ、更にユニバーサルデザイン性能を高めることができるという優れた効果を有する。
【００２３】
請求項２記載の本発明に係る引戸は、操作性をより一層向上させることができるという優れた効果を有する。
【００２４】
請求項３記載の本発明に係る引戸は、引戸の有効開口幅を最大限確保することが可能になるという優れた効果を有する。
【００２５】
請求項４記載の本発明に係る引戸は、引戸全開時にグリップ部が通行の邪魔になるのを回避することができるという優れた効果を有する。
【００２６】
請求項５記載の本発明に係る引戸は、引戸全閉時に仮に指を挟んだとしても、指に与える衝撃を緩和することができるという優れた効果を有する。
【００２７】
請求項６記載の本発明に係る引戸は、引戸設置時の施工作業性を向上させることができるという優れた効果を有する。
【発明を実施するための最良の形態】
【００２８】
以下、図１〜図６を用いて、本発明に係る引戸の一実施形態について説明する。
【００２９】
図１には、本実施形態に係る引戸１０の斜視図が示されている。また、図２（Ａ）には当該引戸１０の横断面図が示されており、更に図２（Ｂ）には当該引戸１０の正面図が示されている。さらに、図３（Ａ）〜（Ｃ）には、本実施形態に係る引戸１０の要部構造が拡大して示されている。
【００３０】
これらの図に示されるように、引戸１０は、矩形平板状の引戸本体１２と、この引戸本体１２の戸先側端面１２Ａに取り付けられた引出１４と、引戸本体１２の戸先側端面１２Ａに取り付けられた小口材１６と、を備えている。以下、各部の構成について詳細に説明する。
【００３１】
この引戸１０は、引戸本体１２が間仕切り１８の戸袋２０内から引き出されて開口２２を閉止する所謂引込み戸として構成されている。開口２２の内周縁部には、正面視で下向きのコ字状に形成された開口枠２４が取り付けられている。開口枠２４は、水平に配置された上縁部２４Ａと、閉止端に立設された閉止側側部２４Ｂと、開放端に立設された開放側側部２４Ｃとによって構成されている。引戸本体１２の開閉方向の幅Ｂ１は、開口枠２４の内周横幅Ｂ２よりも狭く設定されている（図３（Ｂ）参照）。
【００３２】
引出１４は、平板状に形成されて引戸本体１２の戸先側端面１２Ａの高さ方向所定位置に略面一に当接され、この状態で戸先側端面１２Ａに図示しないビス等で固定される上下一対の支持部２６と、これらの支持部２６の先端部同士を引戸高さ方向に繋ぎ垂直に配置されるバー状のグリップ部２８と、を含んで構成されている。グリップ部２８は、使用者が握り易いように中実又は中空の所定半径の円形断面に形成されている。
【００３３】
また、支持部２６は、帯板状に形成されてその長手方向中間部にて戸先側端面１２Ａに固定される固定部２６Ａと、この固定部２６Ａの両端部から戸先側と反対側（戸袋２０側）へ向けて屈曲されると共に斜め方向に延出されかつ先端部にグリップ部２８が固定されたグリップ支持部２６Ｂと、によって構成されている。図３（Ａ）に示されるように、平面視で見ると、固定部２６Ａは引戸本体１２から離間する方向（直交する方向）へ張出されており、その長手方向寸法（即ち、固定部２６Ａの平面視での幅）Ｗ２は、開口枠２４の幅Ｗ１（なお、開口枠２４の幅Ｗ１は、引戸本体１２の板厚及び戸袋２０を構成する二枚の間仕切り１８の板厚を足した長さに略一致する）以上に設定されている。
【００３４】
また、図３（Ｃ）に示されるように、引戸本体１２の戸先側端面１２Ａには、弾性材料によって構成されると共に引戸開閉方向に所定の厚さｔを有する長尺状の小口材１６が取り付けられている。小口材１６は中空矩形断面に形成されており、引戸本体１２の板厚全体に亘る幅方向寸法を有している。これに対応して、開口枠２４の閉止側側部２４Ｂには、小口材１６を受け入れる凹溝３０が形成されている。
【００３５】
（作用・効果）
次に、本実施形態の作用並びに効果について説明する。
【００３６】
図５（Ａ）、（Ｂ）及び図６には、対比例に係る引戸４０が示されている。この対比例の引戸４０では、引戸本体４２の戸先側端部４２Ａの近傍に両面から掘り込みによる指掛かり４４が形成されている。従って、引戸本体４２の厚さの半分弱しか指掛かりがない。このため、指先に力を入れることが困難な人にとっては、引戸４０の開け閉めが容易ではないという欠点がある。また、引戸開放時には、指掛かり４４の分だけ残して（図６の寸法Ａ）、戸袋４６に引戸本体４２を仕舞うようになるため、開口４７の有効開口幅ＢがＡ分だけ狭くなる。さらに、仮に引戸閉止時に、引戸本体４２の戸先側端部４２Ａと開口枠４８との間に指を挟むと、衝撃を吸収する緩衝材になるものがないため、指に加わる荷重が大きくなることが考えられる。また、この対比例のように引戸４０が引込み戸である場合には、引戸４０を開放させた際に指掛かり４４に掛けた指を戸袋４６と引戸本体４２との隙間５０に挟み込む可能性がある。
【００３７】
これに対し、本実施形態の引戸１０では、引戸本体１２の両面に掘り込みによる指掛かりを設けるという従来の発想を替えて、引出１４を平板で構成された支持部２６と引戸１０の開閉操作時に把持するグリップ部２８とで構成し、支持部２６を引戸本体１２の戸先側端面１２Ａに対して略面一になるように直交して配置し、グリップ部２８を引戸本体１２の戸先側端部１２Ｂから離間する安全な方向へ張出させたので、グリップ部２８をしっかり握って引戸１０を開け閉めすることができる。従って、指先に力が入らない人でも、充分に引戸１０を開閉させることができる。特に、図４（Ｂ）に示されるように、大人でも子供でもグリップ部２８をしっかり握ることができるように、又立ち姿勢でも車椅子に乗った人でもグリップ部２８をしっかり握ることができるように、グリップ部２８は充分な長さｈを有しているので、すべての人にとって平等・公平に操作性が良い。また、グリップ部２８が引戸本体１２から離間する方向へ張出されていることにより、図４（Ａ）に示されるように、引戸開放時には手が開口枠２４の開放側側部２４Ｃに当たることもなく（従って、当然ながら、指を戸袋２０と引戸本体１２の隙間３２に挟み込むこともない）、又引戸閉止時には引戸本体１２の戸先側端面１２Ａと開口枠２４の閉止側側部２４Ｂとの間に挟むこともないため、非常に安全である。
【００３８】
これらの意味において、本実施形態に係る引戸１０は、子供や高齢者、体が不自由な人も含めてすべての人にとって平等・公平に安全で操作性の良い引戸といえる。
【００３９】
また、図３（Ａ）に示されるように、本実施形態に係る引戸１０の場合、引出１４の支持部２６の固定部２６Ａの平面視での幅Ｗ２が開口枠２４の開放側側部２４Ｃの幅Ｗ１よりも大きく設定されているので、引戸１０を全開させることができる。従って、引戸１０の有効開口幅を最大限拡大することができる。
【００４０】
さらに、前述した先行技術との関係で説明すると、先行技術の場合には有効開口幅を拡大するために間仕切りに切欠を設ける必要があったが、本実施形態によれば、間仕切り１８側に特別な細工をする必要はない。
【００４１】
以上のことを総括すると、本実施形態の引戸１０によれば、有効開口幅を広げることができ、しかも間仕切り１８等の外観品質を良好に維持することができ、更にユニバーサルデザイン性能を高めることができる。
【００４２】
また、本実施形態では、引出１４の支持部２６が固定部２６Ａとグリップ支持部２６とを含んで構成されているため、固定部２６Ａ及びグリップ支持部２６の長さや延出方向等を調整することにより、グリップ部２８の位置を容易に最適化することができる。従って、操作性をより一層向上させることができる。
【００４３】
さらに、グリップ支持部２６が固定部２６Ａの先端部から戸先側と反対側へ延出されているので、引戸全開時にグリップ部２８が開口２２と重なる位置には存在しない。従って、使用者が開口２２を通る際に、グリップ部２８が体に当たることはない。その結果、引戸全開時にグリップ部２８が通行の邪魔になるのを回避することができる。
【００４４】
また、引戸本体１２に長尺状の小口材１６が取り付けられており、この小口材１６は弾性材料によって構成されていると共に引戸開閉方向に所定の厚さｔを有するので、図３（Ｃ）に示されるように、引戸全閉時に仮に引戸本体１２の戸先側で指を挟んだとしても、小口材１６が指の形状に沿って弾性変形する。従って、指に与える荷重が下がる。その結果、引戸全閉時に仮に指を挟んだとしても、指に与える衝撃を緩和することができる。
【００４５】
さらに、引戸本体１２の開閉方向の幅Ｂ１は、当該引戸本体１２によって開閉される開口２２を形成する開口枠の内周横幅Ｂ２よりも狭く設定されているので、従来より施工作業が容易になる。すなわち、従来は開口枠を外して引戸本体を開閉軌道上に取り込んでから再び開口枠を取り付けるという施工手順によっていたが、本実施形態によれば、小口材１６に厚みｔがあるので、小口材１６を取り付ける前の素のままの状態の引戸本体１２を開口枠２４内の開閉軌道上に納め、その後に引戸本体１２の戸先側端面１２Ａに引出１４及び小口材１６を取り付けるといった施工手順が可能になる。従って、従来より施工作業が容易になる。その結果、引戸設置時の施工作業性を向上させることができる。
【００４６】
また、引戸１０が引戸本体１２の戸先側端面１２Ａに取り付けられるため、引戸本体１２に掘り込みによる指掛かりを設ける必要はない。従って、引戸本体１２をガラス等の硬質な面材で構成したり、鏡面仕上げすることができる。その結果、引戸１０のデザインの自由度を高めることができる。
【００４７】
〔上記実施形態の補足説明〕
（１）上述した本実施形態では、本発明を引込み戸に適用したが、これに限らず、引戸であればよく、片引き戸や引き違い戸に本発明を適用してもよい。例えば、図７に示される例は、片引き戸５２に本発明を適用したものである。
【００４８】
（２）また、請求項１記載の本発明に係る引戸によれば、ユニバーサルデザイン性能を向上させることができる効果が得られるが、ここでの「ユニバーサルデザイン性能」とは、請求項１記載の本発明の作用として既述した「引戸開閉時の開閉操作性」と「引戸開放時の安全性（指の挟み込み防止）」の二つの観点を指している。従って、この二つの観点でユニバーサルデザイン性能が向上されていれば、請求項１記載の本発明の範囲に含まれる。
【００４９】
（３）上述した本実施形態では、引出１４の固定部２６Ａの平面視での幅Ｗ２を開口枠２４の幅Ｗ１以上に設定したが、これに限らず、引戸本体１２の板厚と二枚の仕切り壁１８の板厚を足した長さ以上であればよい。後者の場合、図３（Ａ）に示されるように、開口枠２４の開口幅Ｗ１の方が引戸本体１２の板厚と二枚の仕切り壁１８の板厚を足した長さよりも若干広くなるので、引戸閉止時に開口枠２４における開放側側部２４Ｃのエッジにグリップ支持部２６Ｂの根元が若干干渉し、その分だけ有効開口幅が狭くなるが、実質的には充分に広い有効開口幅を確保できるので、有益であることに変わりはない。
【図面の簡単な説明】
【００５０】
【図１】本実施形態に係る引戸の全体を示す斜視図である。
【図２】（Ａ）は図１に示される引戸の横断面図であり、（Ｂ）は当該引戸の正面図である。
【図３】（Ａ）〜（Ｃ）は図１に示される引戸の要部を示す横断面図である。
【図４】（Ａ）は図１に示される引戸を全閉及び全開させたときの様子を示す横断面図であり、（Ｂ）は身長に差がある場合でも使い易いことを示す正面図である。
【図５】（Ａ）は対比例に係る引戸を示す図１に対応する斜視図であり、（Ｂ）は手掛かり部分の横断面図である。
【図６】対比例に係る引戸の有効開口幅を説明するための正面図である。
【図７】本発明を片引き戸に適用した例を示す横断面図である。
【符号の説明】
【００５１】
１０      引戸
１２      引戸本体
１２Ａ    戸先側端面
１２Ｂ    戸先側端部
１４      引出
１６      小口材
１８      間仕切り
２２      開口
２４      開口枠
２６      支持部
２６Ａ    固定部
２６Ｂ    グリップ支持部
２８      グリップ部
５２      片引き戸
【図１】
2008180018.tif 000003
【図２】
2008180018.tif 000004
【図３】
2008180018.tif 000005
【図４】
2008180018.tif 000006
【図５】
2008180018.tif 000007
【図６】
2008180018.tif 000008
【図７】
2008180018.tif 000009